(57)【要約】【課題】従来、帯状の紙シートである包装用帯紙の表裏面には宣伝広告のためや情報告知のための印刷が全面に施されているものの特に注目を惹くような形態ではないためにユーザーに訴える力が弱いという欠点があり、しかも、包装用帯紙を解舒する形態も巻いた紙シートを単にゆるめて引っ張るだけの動作であるために通常の巻紙の解舒動作に過ぎずそこにユーザーの注目を集めるような形態ではなかった。【解決手段】この発明は、ロール状に巻き取った連続ゴミ袋体の巻取りシート間に連続ゴミ袋体の幅員よりも細幅に形成した包装用帯紙の前後長さ略後半部分を巻き込むと共に、ロール状に巻き取った連続ゴミ袋体から包装用帯紙を除去するために包装用帯紙の始端部を裏面接着ポイントから剥離する際に、包装用帯紙の裏面接着ポイントから連続する裏面表層の細幅帯が、包装用帯紙裏面の中央表層から細幅帯状に剥離されるように構成したことを特徴とする。【選択図】図９
2020029267.tif 000002
【特許請求の範囲】
【請求項１】
ロール状に巻き取った連続ゴミ袋体の巻取りシート間に
連続ゴミ袋体の幅員よりも細幅に形成した包装用帯紙の前後長さ略後半部分を巻き込むと共に、
ロール状に巻き取った連続ゴミ袋体の外表面に包装用帯紙の前後長さ略前半部分を略一周分囲繞し、
包装用帯紙の始端部を略一周分囲繞した包装用帯紙の前後長さ略前半部分に重ね略中央部分で接着剤を介して剥離自在に接着し、この接着部分を包装用帯紙の裏面接着ポイントとし、
しかも、ロール状に巻き取った連続ゴミ袋体から包装用帯紙を除去するために包装用帯紙の始端部を裏面接着ポイントから剥離する際に、包装用帯紙の裏面接着ポイントから連続する裏面表層の細幅帯が、包装用帯紙裏面の中央表層から細幅帯状に剥離されるように構成したことを特徴とする連続ゴミ袋体の包装用帯紙構造。
【発明の詳細な説明】
【技術分野】
【０００１】
この発明は、ロール状に巻き取った連続ゴミ袋体の表面から包装用帯紙を解舒するために接着剤で接着した包装用帯紙部分の始端を剥離する際に、包装用帯紙の裏面接着ポイントから連続する裏面表層の細幅帯が剥離されて、包装用帯紙の解舒に従い包装用帯紙裏面の中央表層が細幅帯に剥離されるように構成したロール状に巻き取った連続ゴミ袋体の包装用帯紙構造に関する。
【背景技術】
【０００２】
従来、合成樹脂製のゴミ収納袋としては、連続の筒状フイルム袋を巻き取った形態で流通している。
【０００３】
すなわち、これらの連続ゴミ袋体は、棒状に巻き取っているために巻取り形状を保持するため巻取り周面を帯状の紙シートで巻いて端部を接着剤で接着して巻止めをするように構成している（例えば、特許文献１及び特許文献２参照。）。
【０００４】
しかも、連続袋の巻取り周面に巻いた包装用帯紙は単に連続袋の巻取り外周面を約一周分だけ囲繞するように巻かれているのではなく、包装用帯紙の約半分長さの後半部分は連続ゴミ袋体の巻取り袋体シート間に挟持して袋体シートと一体に巻いており、包装用帯紙の約半分長さの前半部分は連続ゴミ袋体の巻取り袋体の最外周面を約一周だけ囲繞して包装用帯紙の始端部を巻取り袋体の最外周面に巻いた包装用帯紙表面に接着止めしている。
【０００５】
かかる連続ゴミ袋体の包装用帯紙の巻構造においては、ロール状に巻き取った連続ゴミ袋体を使用するためにロール巻き状態から一袋分を解舒して切り離す際にまず包装用帯紙を取外す必要がある。
【０００６】
そのためには包装用帯紙の始端部の接着部分を連続ゴミ袋体の巻取り袋体表面に巻いた包装用帯紙から剥離しそのまま包装用帯紙を連続ゴミ袋体の巻取り袋体表面から解舒していき、同時に連続した巻取り袋体も一袋分だけ解舒して次の袋体との継ぎ目で切断して連続袋から一枚分のゴミ袋体を得るように構成されている。
【先行技術文献】
【特許文献】
【０００７】
【特許文献１】特許５３０２４４８号
【特許文献２】特許５９０５７８９号
【発明の概要】
【発明が解決しようとする課題】
【０００８】
このように合成樹脂製のゴミ収納袋としては連続の筒状フイルム袋を巻き取った形態で流通しているため巻取り形状を保持するため巻取り外周面を帯状の紙シートで巻いて端部を接着剤で接着している。
【０００９】
しかも、帯状の紙シートの略半分は、連続ゴミ袋体の巻取り袋体シート間に挟持して袋体シートと一体に巻いている。
【００１０】
従って、帯状の紙シートである包装用帯紙の表裏面には宣伝広告のためや情報告知のための印刷が全面に施されているものの特に注目を惹くような形態ではないためにユーザーに訴える力が弱いという欠点があり、しかも、包装用帯紙を解舒する形態も巻いた紙シートを単にゆるめて引っ張るだけの動作であるために通常の巻紙の解舒動作に過ぎずそこにユーザーの注目を集めるような形態ではなかった。
【００１１】
この発明では、印刷された帯状の紙シートの包装用帯紙をゴミ収納袋に沿って先端部から剥離しながら巻き取り形態を解舒をする際に、包装用帯紙始端部の裏面接着ポイントから連続する裏面表層の中央部の細幅帯を包装用帯紙の裏面中央表層から容易に剥離されるように構成して包装用帯紙の解舒過程で裏面表層の中央部の細幅帯がロール状に巻き取った連続ゴミ袋体外周に残ったまま包装用帯紙が解舒されることになり多角的にユーザーの注目を惹く形態にして印刷の宣伝広告機能を格段に向上することができる連続ゴミ袋体の包装用帯紙構造を提供せんとするものである。
【課題を解決するための手段】
【００１２】
上記従来の課題を解決するために、本発明は、ロール状に巻き取った連続ゴミ袋体の巻取りシート間に連続ゴミ袋体の幅員よりも細幅に形成した包装用帯紙の前後長さ略後半部分を巻き込むと共に、ロール状に巻き取った連続ゴミ袋体の外表面に包装用帯紙の前後長さ略前半部分を略一周分囲繞し、包装用帯紙の始端部を略一周分囲繞した包装用帯紙の前後長さ略前半部分に重ね略中央部分で接着剤を介して剥離自在に接着し、この接着部分を包装用帯紙の裏面接着ポイントとし、しかも、ロール状に巻き取った連続ゴミ袋体から包装用帯紙を除去するために包装用帯紙の始端部を裏面接着ポイントから剥離する際に、包装用帯紙の裏面接着ポイントから連続する裏面表層の細幅帯が、包装用帯紙裏面の中央表層から細幅帯状に剥離されるように構成したことを特徴とする連続ゴミ袋体の包装用帯紙構造を提供せんとするものである。
【発明の効果】
【００１３】
本発明によれば、ロール状に巻き取った連続ゴミ袋体の巻取りシート間に連続ゴミ袋体の幅員よりも細幅に形成した包装用帯紙の前後長さ略後半部分を巻き込むと共に、ロール状に巻き取った連続ゴミ袋体の外表面に包装用帯紙の前後長さ略前半部分を略一周分囲繞し、包装用帯紙の始端部を略一周分囲繞した包装用帯紙の前後長さ略前半部分に重ね略中央部分で接着剤を介して剥離自在に接着し、この接着部分を包装用帯紙の裏面接着ポイントとし、しかも、ロール状に巻き取った連続ゴミ袋体から包装用帯紙を除去するために包装用帯紙の始端部を裏面接着ポイントから剥離する際に、包装用帯紙の裏面接着ポイントから連続する裏面表層の細幅帯が、包装用帯紙裏面の中央表層から細幅帯状に剥離されるように構成したことにより、包装用帯紙の始端部を裏面接着ポイントから剥離すると包装用帯紙の裏面接着ポイントに連続する裏面表層の細幅帯が包装用帯紙裏面の中央表層から細幅帯状に剥離されることになるために、予め包装用帯紙の裏面の中央部分が剥離された痕跡が残り、従って、この細帯状の痕跡を境として左右に分離した情報印刷が見れることになり、単に一面に印刷された形態に比較してユーザーに情報関心を持たせることができる効果がある。
【００１４】
また、包装用帯紙を解舒してしまうまで裏面接着ポイントに連続する裏面表層の細幅帯は連続ゴミ袋体の周面を巻いた状態で残存することになるために包装用帯紙の解舒動作の中で特異な中央細幅帯がユーザーの注目を惹くことになりこの細幅帯表面に濃い目の印刷情報を予め表示しておけば剥離された細幅帯の剥離面に印刷情報が透けて見えることになり包装用帯紙の裏面の左右の印刷情報以外にその境目の細幅帯にも印刷情報を視覚的に視認することができる効果がある。
【図面の簡単な説明】
【００１５】
【図１】本発明に係る包装用帯紙により包装されたロール状の連続ゴミ袋体を示す外観斜視図である。
【図２】本発明に係る包装用帯紙により包装されたロール状の連続ゴミ袋体を示す外観斜視図である。
【図３】本発明に係る包装用帯紙により包装されたロール状の連続ゴミ袋体の幅方向中央部における模式的断面図である。
【図４】本発明に係る包装用帯紙の解舒過程を示す外観斜視図である。
【図５】本発明に係る包装用帯紙の解舒過程を示す外観斜視図である。
【図６】本発明に係る包装用帯紙の解舒過程を示すロール状の連続ゴミ袋体の幅方向中央部における模式的断面図である。
【図７】本発明に係る包装用帯紙の解舒過程を示すロール状の連続ゴミ袋体の幅方向中央部における模式的断面図である。
【図８】本発明に係る包装用帯紙の解舒過程を示すロール状の連続ゴミ袋体の幅方向中央部における模式的断面図である。
【図９】本発明に係る包装用帯紙の解舒過程を示す外観斜視図である
【図１０】本発明に係る包装用帯紙の解舒過程を示す外観斜視図である。
【図１１】本発明に係る包装用帯紙の解舒過程を示す外観斜視図である。
【図１２】本発明に係る包装用帯紙の解舒過程を示す外観斜視図である
【図１３】本発明に係る包装用帯紙の裏面を示す背面図である。
【発明を実施するための形態】
【００１６】
この発明の要旨は、ロール状に巻き取った連続ゴミ袋体の巻取りシート間に連続ゴミ袋体の幅員よりも細幅に形成した包装用帯紙の前後長さ略後半部分を巻き込むと共に、ロール状に巻き取った連続ゴミ袋体の外表面に包装用帯紙の前後長さ略前半部分を略一周分囲繞し、包装用帯紙の始端部を略一周分囲繞した包装用帯紙の前後長さ略前半部分に重ね略中央部分で接着剤を介して剥離自在に接着し、この接着部分を包装用帯紙の裏面接着ポイントとし、しかも、ロール状に巻き取った連続ゴミ袋体から包装用帯紙を除去するために包装用帯紙の始端部を裏面接着ポイントから剥離する際に、包装用帯紙の裏面接着ポイントから連続する裏面表層の細幅帯が、包装用帯紙裏面の中央表層から細幅帯状に剥離されるように構成したことを特徴とする。
【００１７】
以下、本発明に係るロール状に巻き取った連続ゴミ袋体の包装用帯紙構造の実施例を図面に基づき詳細に説明する。図１及び図２は包装用帯紙により包装されたロール状の連続ゴミ袋体を示す外観斜視図、図３は包装用帯紙により包装されたロール状の連続ゴミ袋体の幅方向中央部における模式的断面図、図４及び図５は包装用帯紙の解舒過程を示す外観斜視図、図６乃至図８は包装用帯紙の解舒過程を示すロール状の連続ゴミ袋体の幅方向中央部における模式的断面図、図９乃至図１２は包装用帯紙の解舒過程を示す外観斜視図、図１３は包装用帯紙の裏面を示す背面図である。
【００１８】
連続ゴミ袋体は袋本体の底部をシールしてシール部の下方に千切り部を形成し、この千切り部を千切ることにより各ゴミ袋の切断を行うと共に、次の連続ゴミ袋体の開口部を形成する。
【００１９】
このようにして連続して連なる多数の袋体を巻き取ることにより巻回した巻状連続ゴミ袋体を形成する。
【００２０】
そして、かかる巻状連続ゴミ袋体１００は取引現場では、図１に示すように、その周面を包装用帯紙Ａで巻いて巻き状態の解舒を阻止している。
【００２１】
本発明はかかる包装用帯紙Ａの構造に関するものであり、図１及び図３に示すように連続ゴミ袋体１００の幅員Ｄよりも細幅ｄに形成した包装用帯紙の前後長さの略後半部分４０を連続ゴミ袋体１００のロール間に巻き込む。
【００２２】
しかも、包装用帯紙Ａの前後長さの略前半部分１０は、図２及び図３に示すように、ロール状の連続ゴミ袋体１００の外周に略一周分囲繞し、ロール状に巻き取った連続ゴミ袋体１００の外表面に包装用帯紙Ａの始端部１１は略一周分囲繞した包装用帯紙の略前半部分１０に重ね包装用帯紙Ａの略中央部分２０で接着部２１により剥離自在に接着する。この接着部２１を包装用帯紙の接着ポイント２２とする。
【００２３】
更には、ロール状に巻き取った連続ゴミ袋体１００から包装用帯紙Ａを除去するために包装用帯紙Ａの始端部１１を接着ポイント２２から剥離する際に、包装用帯紙Ａの接着ポイント２２から連続する包装用帯紙裏面３０の表層細幅帯３１が包装用帯紙裏面３０の中央表層に剥離形成されるように構成している。
【００２４】
かかる包装用帯紙Ａは、帯状の薄紙であって、インキ滲みを防止すると共に表面強度を確保するためのコーティング処理が表裏面全域に施されている。
【００２５】
すなわち、包装用帯紙Ａの帯紙本体は、表面全体を補強コーティング処理された表側印刷層と、裏面全体を補強コーティング処理された裏側印刷層と、表側印刷層と裏側印刷層との間を結合する表裏面結合層と、より構成している。
【００２６】
かかる補強コーテイング処理としては、クレー、カリオンといった粘土質、炭酸カルシウムなどの水溶性高分子と澱粉や樹脂などの接着剤とからなるコーティング材を帯紙本体の表裏面に塗布処理する方法を採用している。
【００２７】
換言すれば、包装用帯紙Ａにおいて、表側印刷層と裏側印刷層とはコーティング材とパルプなどの紙繊維とで形成すると共に表側印刷層と裏側印刷層との間の表裏面結合層は紙繊維で形成している。
【００２８】
また、包装用帯紙Ａの表裏面結合層は、表側印刷層と裏側印刷層とを互いに接着する層薄の接着バインダーで構成してもよい。
【００２９】
すなわち、包装用帯紙Ａは、別体に形成した表裏面コーティング処理された薄紙同士をその間に接着バインダーを介在して重合形成することにより、表面側から裏面側にかけて、表側印刷層、コート層、接着バインダー層、コート層、裏側印刷層の５層積層構造とし、コート層と接着バインダー層との剥離をしやすく構成することも一案である。
【００３０】
また、接着部２１の接着剤は、包装用帯紙裏面３０の表層細幅帯３１が包装用帯紙裏面３０の中央表層に剥離形成できる接着力を有するものであれば、特に限定されることはない。
【００３１】
具体的には、接着ポイント２２は、包装用帯紙Ａの表裏面同士の間の結合力、すなわち表側印刷層と裏側印刷層との間の表裏面結合層の結合力よりも強い接着力を有する接着剤を介して、包装用帯紙Ａの表面（表側印刷層）に面接着するとともに包装用帯紙Ａの裏面（裏側印刷層）に面接着して形成している。
【００３２】
このような接着剤としては、例えば、天然ゴム系、デンプン系などの天然系接着剤、アクリル樹脂系、ウレタン樹脂系、クロロプレンゴム系、酢酸ビニル樹脂系、ニトロセルロース系、ポリビニルアルコール系の合成系接着剤を採用することができる。
【００３３】
また、包装用帯紙Ａの表裏面の幅方向中央において、裏面３０（裏側印刷受容層）にのみ包装用帯紙Ａの長手方向に沿った２つのガイド線を並行に形成することとしてもよい。これにより包装用帯紙裏面３０の中央表層から２つの切込み直線の間で同切込み直線に沿った短冊長方形状の表層細幅帯３１が剥離形成される。なお、ガイド線は、折返し筋線であったり、直線又はミシン目などの切り込み線であってもよい。
【００３４】
このような構成の包装用帯紙Ａの前後長さの略後半部分４０を連続ゴミ袋体１００のロール間に巻き込んでいるために包装用帯紙Ａを除去するために包装用帯紙Ａの始端部１１を接着ポイント２２から剥離すると、包装用帯紙Ａの接着ポイント２２から連続する包装用帯紙裏面３０の表層細幅帯３１が包装用帯紙裏面３０の中央表層から剥離形成された状態となる。
【００３５】
特に、包装用帯紙Ａの始端部１１を引き上げた際の引き上げ応力は、接着ポイント２２において、包装用帯紙Ａの包装用帯紙裏面３０と接着部２１と接合始端に集中することとなるために、包装用帯紙Ａの表面ではなく裏面に表層細幅帯３１の剥離始端が引き裂き形成されることとなる。換言すれば、接着ポイント２２は、包装用帯紙Ａの裏面での表層細幅帯３１の形成を可能とした裏面剥離ポイントである。
【００３６】
すなわち、包装用帯紙Ａを始端部１１の接着ポイント２２から剥離し、ロール状の連続ゴミ袋体１００から包装用帯紙Ａを解舒していくと、図４及び図５に示すように、包装用帯紙裏面３０から剥離された表層細幅帯３１はロール状の連続ゴミ袋体１００のロール表面を巻いた状態で包装用帯紙Ａの終端位置まで連なっていく。なお、表層細幅帯３１は、始端で接着部２１を介して包装用帯紙Ａの中央部分２０に接着した状態である。
【００３７】
このように、表層細幅帯３１は包装用帯紙裏面３０から剥離し包装用帯紙裏面３０の始端部１１から終端部１２まで包装用帯紙裏面３０から剥離されていき、図６に示すように、ロール状に巻き取った連続ゴミ袋体１００周面に巻いた包装用帯紙Ａの略前半部分１０の解舒が完了する。
【００３８】
次いで、図７に示すように、ロール状に巻き取った連続ゴミ袋体１００の巻取りシート１０１の間に挟持された包装用帯紙Ａの略後半部分４０を連続ゴミ袋体１００の巻取りシート１０１と共に解舒して、最終的には連続ゴミ袋体１００の巻取りシート１０１から完全に抜き取り去った状態として連続ゴミ袋体１００の包装解舒が終了する。
【００３９】
しかも、巻取りシート１０１の間に挟持された包装用帯紙Ａの略後半部分４０を連続ゴミ袋体１００の巻取りシート１０１と共に解舒する際に包装用帯紙Ａの略後半部分４０においては、包装用帯紙Ａの略前半部分１０から剥離した包装用帯紙裏面３０の表層細幅帯３１がそのまま連なって包装用帯紙裏面３０から剥離されていき、図８及び図１１に示すように、最終的に包装用帯紙Ａの最終端（終端部１２）まで剥離されて包装用帯紙Ａの解舒が完了される。
【００４０】
かかる包装用帯紙Ａの解舒の過程で、包装用帯紙表面から剥離した包装用帯紙裏面３０の表層細幅帯３１は包装用帯紙Ａの始端部１１に連なって包装用帯紙Ａと一体に剥離されていくと同時に、表層細幅帯３１が剥離された後の包装用帯紙裏面３０の剥離痕跡３２は表層剥離のためその分薄紙になって、図９及び図１１に示すように、包装用帯紙Ａの裏面３０の左右欄に印刷した広告等の情報表示部５１の左右区別帯となる。
【００４１】
また、かかる包装用帯紙Ａの解舒の過程で剥離した包装用帯紙裏面３０の表層細幅帯３１は包装用帯紙Ａの始端部１１に連なって剥離されていくためこの剥離過程において包装用帯紙Ａの表裏面に印刷された情報印刷表示５２は次のように機能表示される。
【００４２】
すなわち、包装用帯紙Ａの表側一面には通常の情報印刷が一面にわたって行われるが、包装用帯紙Ａの裏面には、図９及び図１１に示すように、包装用帯紙Ａの解舒により包装用帯紙裏面３０に形成された表層細幅帯３１の剥離痕跡３２が形成される。
【００４３】
しかも、表層細幅帯３１は包装用帯紙Ａの始端部１１に連なって包装用帯紙Ａの解舒にともない剥離されていくために、かかる剥離の実態に合致した情報印刷表示５２が行われる。
【００４４】
すなわち、包装用帯紙Ａの裏面３０には、図９及び図１１に示すように左右に分かれて左右印刷情報帯５０、５０’が印刷されていることになり、表層細幅帯３１が剥離された後の包装用帯紙裏面３０の剥離痕跡３２は左右印刷情報帯５０、５０’の区分帯となって包装用帯紙裏面３０の情報印刷５３をすっきりとした左右２区分帯の印刷情報に見える効果がある。
【００４５】
また、包装用帯紙Ａの裏面３０の表層細幅帯３１は、剥離過程において包装用帯紙Ａの終端部１２に至るまでの間、すなわち表層細幅帯３１おける包装用帯紙Ａ表面の接着ポイント２２位置の接着始端３１ｂと包装用帯紙Ａ裏面３０の帯紙との結合位置の結合終端３１ｃとの間で、図６及び図７に示すように連続ゴミ袋体１００のロール外面に巻き付いた状態で形成される。
【００４６】
すなわち、包装用帯紙Ａの解舒過程において表層細幅帯３１を接着始端３１ｂと結合終端３１ｃとの間で連続ゴミ袋体１００を結束する結束バンドとして機能させることにより、ロール状の連続ゴミ袋体１００からの巻取りシート１０１の偏奇方向への不用意な解舒引き出しを防止して、ロール形態を保持したロール状の連続ゴミ袋体１００から巻取りシート１０１を安定して引き出すことができる。
【００４７】
その結果、引き出される巻取りシート１０１に伴って、図９及び図１０に示すように包装用帯紙Ａが巻取りシート１０１裏面の中央位置に整然と配置された状態で解舒されていき、包装用帯紙Ａの裏面３０の左右印刷情報帯５０、５０’を確実に現出してユーザーへの情報報知を確実に行うことができる効果がある。
【００４８】
また、包装用帯紙Ａの裏面中央で剥離した表層細幅帯３１自体は、包装用帯紙Ａの始端部１１から終端部１２まで連なった薄紙細幅状になっている。
【００４９】
このため、図１３に示すように、表層細幅帯３１の表側、すなわち、包装用帯紙Ａの裏面３０において始端部１１の接着ポイント２２から連なる表層細幅帯３１該当部分の表側に上下左右真逆の印刷情報３１ａを印刷しておけば、図９乃至図１２に示すように表層細幅帯３１が剥離された場合に薄紙故に表層細幅帯３１表側の上下左右真逆表示の印刷情報３１ａは薄紙裏側から透けて印刷情報が視認できる状態になる。
【００５０】
すなわち、包装用帯紙Ａを解舒に伴い形成される表層細幅帯３１の裏面からは、図９、図１０及び図１２に示すように表側に印刷した印刷情報３１ａが透けて視認できる状態となり、包装用帯紙Ａから分離した表層細幅帯３１という立体的な紙片に目立つ状態で透けて見える細幅状の印刷情報３１ａを表示することができることになりユーザーに思わぬ情報報知が行える効果がある。
【００５１】
なお、上述してきた実施例は表層細幅帯３１や剥離痕跡３２を包装用帯紙Ａの裏面に形成する態様であるが、これら表層細幅帯３１や剥離痕跡３２は包装用帯紙Ａの表面に形成した場合であっても剥離痕跡３２による情報印刷５３の区分表示効果や、表層細幅帯３１による情報報知効果を得ることができる。
【００５２】
具体的には、包装用帯紙Ａを解舒する際に包装用帯紙Ａの中央部分２０の表面と接着部２１との接合始端部に爪を引っ掛けるなどして包装用帯紙Ａの始端部１１とともに接着部２１ごと引き上げることにより、包装用帯紙Ａの表面で剥離始端を形成し、同剥離始端から連なって表層細幅帯３１を形成することができる。
【００５３】
以上、説明してきたように、本発明によれば、包装用帯紙の始端部を裏面接着ポイントから剥離すると包装用帯紙の裏面接着ポイントに連続する裏面表層の細幅帯が包装用帯紙裏面の中央表層から細幅帯状に剥離されることになるために、予め包装用帯紙の裏面の中央部分が剥離された痕跡が残り、従って、この細帯状の痕跡を境として左右に分離した情報印刷が見れることになり、単に一面に印刷された形態に比較してユーザーに情報関心を持たせることができる効果がある。
【００５４】
また、包装用帯紙を解舒してしまうまで裏面接着ポイントに連続する裏面表層の細幅帯は連続ゴミ袋体の周面を巻いた状態で残存することになるために包装用帯紙の解舒動作の中で特異な中央細幅帯がユーザーの注目を惹くことになりこの細幅帯表面に濃い目の印刷情報を予め表示しておけば剥離された細幅帯の剥離面に印刷情報が透けて見えることになり包装用帯紙の裏面の左右の印刷情報以外にその境目の細幅帯にも印刷情報を視覚的に視認することができる効果がある。
【符号の説明】
【００５５】
Ａ  包装用帯紙
１０  前半部分
２０  中央部分
２１  接着部
３０  包装用帯紙裏面
３１  表層細幅帯
３２  剥離痕跡
４０  後半部分
５０  左右印刷情報帯
５１  情報表示部
１００  巻状連続ゴミ袋体
１０１  巻取りシート
【図１】
2020029267.tif 000003
【図２】
2020029267.tif 000004
【図３】
2020029267.tif 000005
【図４】
2020029267.tif 000006
【図５】
2020029267.tif 000007
【図６】
2020029267.tif 000008
【図７】
2020029267.tif 000009
【図８】
2020029267.tif 000010
【図９】
2020029267.tif 000011
【図１０】
2020029267.tif 000012
【図１１】
2020029267.tif 000013
【図１２】
2020029267.tif 000014
【図１３】
2020029267.tif 000015